(57)【要約】  【課題】  例えば旅行先などに手軽に持参することが出来、しかも内部に充填した液状物の取り出しも片手でワンタッチで行なえる携帯用容器を提供する。  【解決手段】  容器本体内がシール材を介して液状物の充填室と液状物の開放室とに区画されて、開放室には、この開放室を外部に開放するための開口と、開放室と充填室をそれぞれ拡大乃至縮小させるための蛇腹構造の伸縮部と、シール材に液状物の抽出口を開けるための穿孔体とが設けられて、伸縮部による開放室の縮み動作により、穿孔体を介してシール部材に抽出口を開設するようにした。  【選択図】  図２
2005320016.tif 000002
【特許請求の範囲】
【請求項１】
容器本体内がシール材を介して液状物の充填室と液状物の開放室とに区画されて、開放室には、この開放室を外部に開放するための開口と、開放室を拡大乃至縮小させるための伸縮部と、シール材に液状物の抽出口を開けるための穿孔手段とが設けられて、伸縮部による開放室の縮み動作により、穿孔手段を介してシール部材に抽出口を開設するようにしていることを特徴とする携帯用容器。
【請求項２】
充填室に、この充填室を拡大乃至縮小させるための伸縮部が設けられていることを特徴とする請求項１に記載の携帯用容器。
【請求項３】
容器本体が可撓性材料から形成され、伸縮部が蛇腹構造から構成されていることを特徴とする請求項１または２に記載の携帯用容器。
【発明の詳細な説明】
【技術分野】
【０００１】
本発明は、シャンプやリンスあるいはトリートメントなどの液状のケアー用品を入れるための携帯用容器に関する。
【背景技術】
【０００２】
例えば旅行先にシャンプやリンスなどの手入れ用品を持参する場合、比較的大きな容器に入れられている市販の商品をそのまま旅先に持参するのが一般的であるが、以上の方法では、旅先での使用が数回であるにもかかわらず、容器に入れられた多量のシャンプをそのまま持って行かなくてはならず、携帯品を入れるカバンがそれだけ重くなってしまうし、嵩張る不具合がある。
【０００３】
以上の不具合を解消するために、小さな蓋付きの容器にシャンプなどを小分けして持参する方法も従来から一般的に行なわれているが、以上の方法では、持参する容器へのシャンプ等の移し替え作業が面倒でもあるし、持参した容器からシャンプを手に取り出す際にも、蓋を外して容器内のシャンプを手に移し替えねばならず、結構面倒であるし、また更に蓋の開閉時、シャンプ液で手が滑って、蓋の開け閉めが行い難いなどの問題がある。
【発明の開示】
【発明が解決しようとする課題】
【０００４】
本発明は以上の実情に鑑みて開発したものであって、目的とするところは、例えば旅行先などに手軽に持参することが出来、しかも内部に充填した液状物の取り出しも片手でワンタッチで行なえる携帯用容器を提供することにある。
【課題を解決するための手段】
【０００５】
以上の目的を達成するために、請求項１に記載の発明は、容器本体内がシール材を介して液状物の充填室と液状物の開放室とに区画されて、開放室には、この開放室を外部に開放するための開口と、開放室を拡大乃至縮小させるための伸縮部と、シール材に液状物の抽出口を開けるための穿孔手段とが設けられて、伸縮部による開放室の縮み動作により、穿孔手段を介してシール部材に抽出口を開設するようにしていることを特徴とするものである。
【０００６】
請求項２に記載の発明は、充填室にも、この充填室を拡大乃至縮小させるための伸縮部が設けられていることを特徴とするものである。
【０００７】
また請求項３に記載の発明は、請求項１または２に記載の容器本体が可撓性材料から形成され、伸縮部が蛇腹構造から構成されていることを特徴とするものである。
【発明の効果】
【０００８】
請求項１に記載の発明によれば、開放室の伸縮部を縮小させるだけで、穿孔手段によりシール材に抽出口を開けて、充填室に充填されている液状物を開口から外部に簡単に取り出すことが出来る。
【０００９】
請求項２に記載の発明によれば、請求項１に記載の発明の効果に加え、開放室と充填室の両伸縮部を縮めることで、液状物の容器からの取り出しがより一層、スムーズに行なうことが出来る。
【００１０】
請求項３に記載の発明によれば、請求項１または２に記載の発明の効果に加え、容器本体が簡単に成形出来、しかも伸縮部の縮小動作がスムーズに行なえる。
【発明を実施するための最良の形態】
【００１１】
図に示す携帯用容器は、頭髪を洗うための１回分の量のシャンプーを充填したものであって、基本的には、円筒状の容器本体１と、この容器本体１内を液状物の充填室４と液状物の開放室５とに区画するシール材２と、シール材２に液状物の抽出口２１を開けるための穿孔手段としての穿孔体３とから構成されている。
【００１２】
容器本体１は、プラスチック樹脂材料から形成されているのであって、有底楕円筒状に形成された充填室側容器分割体１ａと、同じく有底楕円筒状に形成された開放室側容器分割体１ｂとに分割され、両分割体１ａ・１ｂの開口端には、径方向外方に突出するリング状の連結フランジ１１ａ・１１ｂが一体形成されている。
【００１３】
そして充填室側容器分割体１ａの楕円筒状の周壁１２ａを弾性的に復元可能な蛇腹状に形成して、この蛇腹状の周壁１２ａを、充填室４を拡大乃至縮小させるための伸縮部４０としている。
【００１４】
また開放室側容器分割体１ｂの楕円筒状の周壁１２ｂをも弾性的に復元可能な蛇腹状に形成して、この蛇腹状の周壁１２ｂを、開放室５を拡大乃至縮小させるための伸縮部５０としている。
【００１５】
また開放室側容器分割体１ｂの奥壁１３ｂの中央には、開放室５を外部に開放するための開口５１が設けられている。
【００１６】
穿孔体３は、逆二等辺三角形に形成された２枚のプレートを平面視十字状に一体に組み合わせた形状に形成され、その十字部分の中央でシール材２に抽出口２１を開けるようにしている。
【００１７】
この穿孔体３は、図２にも示すように、開放室側容器分割体１ｂの奥壁１３ｂの内面に取り付けられて開口５１と対向している。
【００１８】
そして充填室側容器分割体１ａ内の充填室４に例えばシャンプーＷを充填した上で、充填室側容器分割体１ａの開口をシール材２で封鎖し、続いて、両分割体１ａ・１ｂの開口をあわせて、両連結フランジ１１ａ・１１ｂをシール材２の周縁部と共に接着して、両容器分割体１ａ・１ｂを図２に示すように一体に組み付けている。
【００１９】
以上の構成からなる携帯用容器は、別途形成したプラスチック製のハードケースなどに入れて持参するのが好ましい。
【００２０】
そして使用に際しては、親指を充填室側容器分割体１ａの奥壁１３ａ外面に当て、人差し指と中指を開放室側容器分割体１ｂの奥壁１３ｂ外面に当てて、3本の指で、容器を保持した状態から両容器分割体１ａ・１ｂを圧縮するのであって、これにより、開放室側容器分割体１ｂと充填室側容器分割体１ａの各伸縮部５０・４０が弾性的に縮んで、穿孔体３によりシール材２に抽出口２１が開けられ、充填室4内に充填していたシャンプーＷが、抽出口２１を介して開放室側容器分割体１ｂの開口から外部にスムーズに流出することとなる。
【００２１】
斯くして以上の携帯用容器を例えば旅行先などに持参し、容器本体１を片手で圧縮するだけでの簡単な操作で、シャンプの取り出しが行なえるに至ったのである。
【００２２】
以上の実施形態では、開放室側容器分割体１ｂの奥壁１３ｂの中央に開口５１を設け、この開口５１と対向するように、穿孔体３を開放室側容器分割体１ｂの奥壁１３ｂ内面に取り付けたが、これに限定されるものではなく、例えば図４に示すように、穿孔体３を開放室側容器分割体１ｂの奥壁１３ｂの内面中央に取り付けるとともに、開口５１を開放室側容器分割体１ｂの奥壁１３ｂの周縁部に設けてもよい。
【００２３】
また以上の実施形態では、開放室側容器分割体１ｂの奥壁１３ｂに開口５１を設けると共に、逆二等辺三角形に形成された２枚のプレートを平面視十字状に一体に組み合わせた形状の穿孔体３を開放室側容器分割体１ｂの奥壁１３ｂ内面に取り付けたが、これに限定されるものではなく、例えば図５に示すように、奥壁１３ｂの中央に逆円錐状の穿孔体３を一体形成して、この穿孔体３の壁に開口５１を設けてもよい。
【００２４】
また以上の実施形態では、充填室４にシャンプＷを充填したが、これに限定されるものではなく、例えばリンスやトリートメントあるいはローション、洗顔クリームなどを充填室４に充填してもよい。
【図面の簡単な説明】
【００２５】
【図１】本発明にかかる携帯用容器の一例を示す斜視図。
【図２】同、縦断面図。
【図３】圧縮させた状態を示す携帯用容器の縦断面図。
【図４】本発明にかかる携帯用容器の別の実施形態を示す斜視図。
【図５】本発明にかかる携帯用容器の別の実施形態を示す縦断面図。
【符号の説明】
【００２６】
１        容器本体
１ａ      充填室側容器分割体
１ｂ      開放室側容器分割体
２        シール材
２１      抽出口
３        穿孔体（穿孔手段）
４        充填室
４０      伸縮部
５        開放室
５０      伸縮部
５１      開口
【図１】
2005320016.tif 000003
【図２】
2005320016.tif 000004
【図３】
2005320016.tif 000005
【図４】
2005320016.tif 000006
【図５】
2005320016.tif 000007